(57)【要約】【課題】道路の長手方向からの視認性を確保しつつ直付形及び埋込形のいずれにも構成可能な誘導表示装置を提供する。【解決手段】トンネル内の道路に並行して前記トンネルの壁面に配置される器具本体２に光源を内蔵し、前記器具本体２の前面に配置した表示パネル３に前記光源の光を照射して誘導表示する誘導表示装置１において、前記道路長手方向Ａに光を放射する位置表示部４を有し、前記位置表示部４を前記表示パネル３を挟んだ左右両側に設け、各位置表示部４が前記表示パネル３の前方を横断する方向に光を放射する構成とした。【選択図】図１
2008008070.tif 000002
【特許請求の範囲】
【請求項１】
トンネル内の道路に並行して前記トンネルの壁面に配置される器具本体に光源を内蔵し、前記器具本体の前面に配置した表示パネルに前記光源の光を照射して誘導表示する誘導表示装置において、
前記道路の長手方向に光を放射する位置表示部を有し、
前記位置表示部を前記表示パネルを挟んだ左右両側に設け、各位置表示部が前記表示パネルの前方を横断する方向に光を放射することを特徴とする誘導表示装置。
【請求項２】
請求項１に記載の誘導表示装置において、
略矩形に開口して前記表示パネルを露出するパネル表示窓が形成された前面枠を前記器具本体の前面に設け、前記前面枠の両側の内縁部のそれぞれに前記位置表示部を設けたことを特徴とする誘導表示装置。
【請求項３】
請求項１又は２に記載の誘導表示装置において、
前記位置表示部は、前記器具本体の高さ方向に帯状に延びて発光することを特徴とする誘導表示装置。
【発明の詳細な説明】
【技術分野】
【０００１】
本発明は、トンネル内に設置される誘導表示装置に関する。
【背景技術】
【０００２】
従来、道路等のトンネル内には事故や火災等の非常時の際に、迅速かつ安全に人や車両等をトンネルの出口あるいは非常口へ誘導するための誘導表示装置が道路に沿って所定間隔で設けられている。この誘導表示装置は、一般に、器具本体の正面、すなわち、道路に面して設けられた表示パネルと、器具本体内に設けられた光源たるランプとを有し、このランプが表示パネルを照射することで、表示パネルに印刷されている文字を表示させている。さらに、この種の誘導表示装置にあっては、隣の誘導表示装置との略中間位置での配光が所定カンデラ（ｃｄ）以上となるように誘導表示装置の配光を制御する等して、誘導表示装置の存在を遠方から視認し易くしている（例えば、特許文献１参照）。
【０００３】
ところで、近年では、光源の長寿命化、メンテナンス費用の削減及び装置の薄型化を図るために、ランプに代えて発光ダイオードを光源としたものが実用されている。しかしながら、発光ダイオードを光源とした場合には、道路に沿った方向（道路長手方向）での輝度が不足し、誘導表示装置の存在を遠方から視認し難くなるといった問題がある。そこで、この問題を解決するために、光源の光を漏洩する表示窓を器具本体の両側壁の少なくとも一方に設け、道路長手方向からの視認性を改善したものが提案されている（例えば、特許文献１及び２参照）。
【特許文献１】特開２００２−２９４６４１号公報
【特許文献２】特開２００２−３０２９１５号公報
【特許文献３】特開２００２−３０２９１６号公報
【発明の開示】
【発明が解決しようとする課題】
【０００４】
ところで、誘導表示装置には、器具本体をトンネルの壁面に直付けして設置される直付形と、トンネルの壁面に埋め込んで設置される埋込形とがある。しかしながら、器具本体の両側壁に表示窓を設けた誘導表示装置を埋込形にした場合、当該表示窓がトンネルの壁面に埋没してしまうといった問題があり、また、直付形とした場合であっても、誘導表示装置の両側に遮蔽物が設置されていると、表示窓からの光が遮蔽されてしまうため、誘導表示装置の両側には物を配置することができないといった問題がある。
本発明は、上述した事情に鑑みてなされたものであり、道路の長手方向からの視認性を確保しつつ直付形及び埋込形のいずれにも構成可能な誘導表示装置を提供することを目的とする。
【課題を解決するための手段】
【０００５】
上記目的を達成するために、本発明は、トンネル内の道路に並行して前記トンネルの壁面に配置される器具本体に光源を内蔵し、前記器具本体の前面に配置した表示パネルに前記光源の光を照射して誘導表示する誘導表示装置において、前記道路の長手方向に光を放射する位置表示部を有し、前記位置表示部を前記表示パネルを挟んだ左右両側に設け、各位置表示部が前記表示パネルの前方を横断する方向に光を放射することを特徴とする。
【０００６】
また本発明は、上記発明において、略矩形に開口して前記表示パネルを露出するパネル表示窓が形成された前面枠を前記器具本体の前面に設け、前記前面枠の両側の内縁部のそれぞれに前記位置表示部を設けたことを特徴とする。
【０００７】
また本発明は、上記発明において、前記位置表示部は、前記器具本体の高さ方向に帯状に延びて発光することを特徴とする。
【発明の効果】
【０００８】
本発明によれば、道路の長手方向に光を放射する位置表示部を、表示パネルを挟んだ左右両側に設けると共に、各位置表示部が表示パネルの前方を横断する方向に光を放射する構成であるため、器具本体をトンネルの壁面に埋め込んで設置した場合でも、位置表示部の放射光が表示パネルの前方を横断して道路の長手方向の遠方に到達するため、誘導表示装置の存在を遠方から十分に視認することが可能となる。
【発明を実施するための最良の形態】
【０００９】
以下、図面を参照して本発明の実施形態について説明する。
図１は、本実施形態に係る誘導表示装置１の構成を示す斜視図であり、図２は、当該誘導表示装置１の正面、平面、底面及び右側面を共に示す図である。図１及び図２に示すように、誘導表示装置１は、横に延びる直方体状の器具本体２を有し、この器具本体２の前面に表示パネル３が配置されている。また、器具本体２の前面側であって表示パネル３を挟んだ両側のそれぞれには位置表示部４が設けられており、図中矢印Ｄ１、Ｄ２にて示すように、各位置表示部４から表示パネル３の前方を横断し道路長手方向（交通方向）Ａの遠方に向けて光が放射される。なお、各位置表示部４の構成については後に詳述する。
【００１０】
器具本体２は、道路等のトンネルの壁面側Ｂに背面を向け、かつ、表示パネル３を道路側Ｃに向けて、道路長手方向Ａに沿ってトンネルの壁面に一定間隔で設置される。この誘導表示装置１をトンネルの壁面に直付する場合には、器具本体２の上下に延出する２本の細長い板状の取付金具５を背面に固着し、各取付金具５の両端部５Ａ、５Ｂをトンネルの壁面に螺子等で止めて直付固定する。
また、上述したように位置表示部４が器具本体２の前面に設けられているため、誘導表示装置１をトンネルの壁面に埋め込んで設置しても、当該位置表示部４が壁面に埋没することが無く誘導表示装置１を埋込形として設置することも可能となる。
【００１１】
次いで誘導表示装置１の構成について、より詳細に説明する。
図３は、図２にＸ−Ｘ’線で示す誘導表示装置１の縦断面をみた図であり、図３（Ａ）は縦断面の全体を示す図、図３（Ｂ）は図３（Ａ）の要部Ａを拡大して示す図である。また、図４は、図２にＹ−Ｙ’線で示す誘導表示装置１の横断面をみた図であり、図４（Ａ）は横断面の全体を示す図、図４（Ｂ）は図４（Ａ）の要部Ｂを拡大して示す図である。
【００１２】
図１乃至図４に示すように、器具本体２は前面側が開口した箱形に形成され、その前面側の開口には、パネル表示窓６が略矩形に開口した前面枠７が設けられている。この前面枠７は、器具本体２の上面２Ａに設けられた複数の蝶番８を用いて当該器具本体２に開閉自在に結合され、また、器具本体２の下面２Ｂに設けられた複数のパチン錠９により開閉不能にロックされる。
【００１３】
図３及び図４に示すように、前面枠７の内側であってパネル表示窓６の縁部には、表示パネル３の前面側にパッキン１１が配設され、このパッキン１１が表示パネル３の四方を囲うことで器具本体２内への防水が図られている。
上記表示パネル３は例えば強化ガラス等の透光性部材から形成され、その背面には、誘導に必要な表示内容を表す図形や文字が印刷、又は、透明カラーフィルムが貼付られている。
【００１４】
一方、器具本体２は、表示パネル３の背面側に密着するように配設された導光板２０と、この導光板２０の上下端部２０Ａ、２０Ｂのそれぞれに対向配置された表示パネル用ＬＥＤ光源部２１とを有している。この表示パネル用ＬＥＤ光源部２１は、導光板２０の上端部２０Ａ或いは下端部２０Ｂに沿って延在する回路基板２２と、この回路基板２２に搭載された複数の砲弾型のＬＥＤ２３と、ＬＥＤ２３を導光板２０の上端部２０Ａ或いは下端部２０Ｂに対向配置するための支持フレーム２４とを備え、導光板２０の背面側には光を反射する反射面が形成されている。これにより、各ＬＥＤ２３の光が導光板２０の上下端部２０Ａ、２０Ｂから導光板２０内に導かれ表示パネル３に向けて放射され、当該表示パネル３に印刷、又は、透明カラーフィルムの貼付による文字や図形等が表示されることとなる。
【００１５】
次いで、表示パネル３の左右両端側の位置表示部４の構成について詳述する。図４に示すように、位置表示部４は、表示パネル３の左右両端部の背面側にそれぞれ配設され表示パネル３の前面に向けて光を照射する位置表示用ＬＥＤ光源部３０と、表示パネル３の前面側に前面枠７の左右の内縁７Ａに沿って設けられ位置表示用ＬＥＤ光源部３０の光の進行方向を道路長手方向Ａに変える光学素子たるプリズム３１とを有して構成されている。
【００１６】
上記位置表示用ＬＥＤ光源部３０は、前面枠７の左右の内縁７Ａに沿って延在する回路基板３２と、この回路基板３２上に配列された複数の砲弾型のＬＥＤ３３と、回路基板３２を支持する支持フレーム３４とを備えて構成されている。
また、上記表示パネル３の左右の端部３Ａ、３Ｂは、位置表示用ＬＥＤ光源部３０の前面を覆うまで延出し、表示パネル３の左右の端部３Ａ、３Ｂの前面側には上記プリズム３１が配置され、そのプリズム３１がカバー体３６に覆われている。
【００１７】
カバー体３６には複数の放射窓３７が形成されており、位置表示用ＬＥＤ光源部３０の放射光が、図４（Ｂ）中矢印Ｐにて示すように、表示パネル３を経てプリズム３１に入射し、当該プリズム３１により進行方向を、表示パネル３を横断する方の道路長手方向Ａに変えられて放射窓３７から放射される。
【００１８】
これにより、道路長手方向Ａに向けて位置表示部４から光が放射されるため、遠方からでも誘導表示装置１の存在を十分に視認可能となる。さらに、位置表示部４からは表示パネル３の前方を横断するように光が放射されるため、この放射光によって表示パネル３の輝度が補われる。
また、位置表示用ＬＥＤ光源部３０の砲弾型のＬＥＤ３３が前面枠７の左右の内縁７Ａに沿って複数配列され、位置表示部４が左右の内縁７Ａに沿って帯状に発光するため、誘導表示装置１の近くに遮蔽物が存在しても、その遮蔽物に位置表示部４から帯状に放射された放射光の一部（例えば、上端或いは下端の光）が漏れ易くなり、遠くからの視認性を阻害され難くする。
【００１９】
ここで、プリズム３１の放射光の進行方向Ｐは、鉛直面（表示パネル３に略平行な面）に対して角度θだけ傾けられている。この角度θの下限値は、カバー体３６の放射窓３７からの放射光が、表示パネル３を挟んで反対側に設けられているカバー体３６に遮光されない（ぶつからない）程度の値に設定されている。
また、誘導表示装置１の左右に遮蔽物が存在する場合には、それらの物体に放射窓３７からの放射光が遮光されない程度の値に角度θが設定される。本実施形態では、放射窓３７からの放射光の放射方向をプリズム３１によって制御しているため、当該プリズム３１を適宜変更することで、位置表示部４の光の放射方向を容易に変更することが可能となる。
また、図４（Ｂ）に示すように、カバー体３６の放射窓３７に上記プリズム３１を密着して配置することで、車両の排ガスや粉塵等でプリズム３１の表面に汚れを清掃し易くしている。
【００２０】
以上説明したように、本実施形態によれば、道路長手方向Ａに光を放射する位置表示部４を表示パネル３を挟んだ両側に設け、各位置表示部４が表示パネル３の前方を横断する方向に光を放射する構成としたため、器具本体２をトンネルの壁面に埋め込む埋込形としても、位置表示部４の放射光が表示パネル３の前方を横断して道路長手方向Ａの遠方に到達するため、誘導表示装置１の存在を道路長手方向Ａの遠方から十分に視認することが可能となる。
さらに、位置表示部４からの放射光を表示パネル３の前方を横断させることで、この放射光によって表示パネル３の輝度を補い、表示パネル３の表示の視認性を向上させることができる。
【００２１】
また本実施形態によれば、前面枠７の両側の内縁７Ａのそれぞれに位置表示部４を設ける構成としたため、当該位置表示部４が器具本体２の前面側に突出することがなく誘導表示装置１の厚みを抑えることができる。
【００２２】
また本実施形態によれば、位置表示部４が器具本体２の高さ方向に帯状に延びて発光するため、誘導表示装置１の近くに遮蔽物が存在しても、その遮蔽物に位置表示部４から帯状に放射された放射光の一部（例えば、上端或いは下端の光）が漏れ易くなり、遠くからの視認性を阻害され難くすることができる。
【００２３】
なお、上述した実施の形態は、あくまでも本発明の一態様を示すものであり、本発明の範囲内で任意に変形および応用が可能である。
例えば、上述した実施形態では、位置表示用ＬＥＤ光源部３０の光の進行方向を道路長手方向Ａに向ける光学素子として透過型光学素子の一態様たるプリズム３１を位置表示部４に設け、当該プリズム３１により位置表示部４の放射光の進行方向を制御する構成としたが、これに限らず、プリズム３１に代えて例えば反射鏡等の反射型光学素子を放射光の進行方向の制御に用いる構成としても良い。なお、この構成の場合には、反射型光学素子を覆うカバー体３６を前面枠７に対して着脱自在に構成し、反射型光学素子の反射面を清掃し易くすることが望ましい。
また、位置表示部４の放射光の進行方向を制御する光学素子（例えばプリズム３１）を、前面枠７の内縁７Ａに沿った軸を中心にして回動自在に設け、位置表示部４の光放射方向を容易に調整可能な構成としても良い。
【００２４】
また例えば、上述した実施形態では、前面枠７の左右の内縁７Ａに位置表示部４を設ける構成としたが、これに限らない。すなわち、位置表示部４を表示パネル３を挟んだ両側に設け、各位置表示部４が表示パネル３の前方を横断する方向に光を放射する構成であれば、任意の位置の位置表示部４を配置することが可能である。例えば、図５に示すように、前面枠７の左右の枠体表面上に位置表示部４Ａを設けて誘導表示装置１Ａを構成しても良い。また、例えば図６に示すように、位置表示部４Ｂが内蔵された位置表示用照明装置５０を器具本体２の左右両側のそれぞれに設ける構成としても良い。
【００２５】
また例えば、上述した実施形態において、位置表示部４に加え、表示パネル３の前方を横断させて器具本体２の直下方向に光を放射し路面を照明する構成、および／または、表示パネル３の前方を横断させて器具本体２の直上方向に光を放射してトンネルの壁面上方を照明する構成を誘導表示装置１に付加する構成としても良い。
なお、本発明の誘導表示装置１は、トンネルの壁面に設置されるのが好適の態様であるが、建物等の避難誘導用の誘導表示装置１として用いても良いことは勿論である。
また、上述した実施形態において、位置表示部４に砲弾型のＬＥＤ３３を用いた構成を例示したが、これに限らず、回路基板２２に実装したパッケージ型のＬＥＤを用いる構成としても良い。
【図面の簡単な説明】
【００２６】
【図１】本発明の実施形態に係る誘導表示装置の構成を示す斜視図である。
【図２】誘導表示装置の正面、平面、底面及び右側面を共に示す図である。
【図３】誘導表示装置の縦断面を示す図であり、（Ａ）は縦断面の全体を示す図、（Ｂ）はその一部を拡大して示す図である。
【図４】誘導表示装置の横断面を示す図であり、（Ａ）は横断面の全体を示す図、（Ｂ）はその一部を拡大して示す図である。
【図５】誘導表示装置の他の態様を示す斜視図である。
【図６】誘導表示装置のその他の態様を示す斜視図である。
【符号の説明】
【００２７】
１、１Ａ、１Ｂ  誘導表示装置
２  器具本体
３  表示パネル
４、４Ａ、４Ｂ  位置表示部
６  パネル表示窓
７  前面枠
７Ａ  内縁
３０  位置表示用ＬＥＤ光源部
３１  プリズム
５０  位置表示用照明装置
【図１】
2008008070.tif 000003
【図２】
2008008070.tif 000004
【図３】
2008008070.tif 000005
【図４】
2008008070.tif 000006
【図５】
2008008070.tif 000007
【図６】
2008008070.tif 000008